(57)【要約】【課題】第１読取部および第２読取部による画像の読取精度を向上させることができる、画像読取装置および画像読取装置の製造方法を提供する。【解決手段】第１読取部９３の第１突起２０１および第２読取部９４の第２突起２１１をそれぞれ第１フレーム１５１の第１係合部１６５および第２係合部１６８に挿入することにより、第１読取部９３および第２読取部９４の各左端部を第１フレーム１５１に係合させることができる。これにより、第１読取部９３および第２読取部９４の左端部の相対位置を一定にすることができる。また、第１読取部９３の第３突起２０２および第２読取部９４の第４突起２１２をそれぞれ第２フレーム１５２の第３係合部１８５および第４係合部１８８に挿入することにより、第１読取部９３および第２読取部９４の各右端部を第２フレーム１５２と係合させることができる。【選択図】図６
2014195207.tif 000002
【特許請求の範囲】
【請求項１】
搬送路を搬送されるシートの第１面を読み取るように構成され、搬送されるシートの幅方向に延びる第１読取部と、
前記幅方向に延び、搬送路を挟んで前記第１読取部に対向する位置に位置し、前記シートの第２面を読み取るように構成された第２読取部と、
前記第１読取部の前記幅方向における一方側の端部と係合する第１係合部および前記第２読取部の前記幅方向における一方側の端部と係合する第２係合部を備える第１フレームと、
前記第１読取部の前記幅方向における他方側の端部と係合する第３係合部および前記第２読取部の前記幅方向における他方側の端部と係合する第４係合部を備える第２フレームと、を備える、画像読取装置。
【請求項２】
前記第１読取部は、前記幅方向における一方側に前記幅方向一方側に突出し前記第１係合部と係合する第１突起と、前記幅方向他方側に前記幅方向他方側に突出し前記第３係合部と係合する第３突起と、を備え、
前記第２読取部は、前記幅方向における一方側に前記幅方向一方側に突出し前記第２係合部と係合する第２突起と、前記幅方向他方側に前記幅方向他方側に突出し前記第４係合部と係合する第４突起と、を備え、
前記第１係合部、前記第２係合部、前記第３係合部、前記第４係合部は、それぞれ前記第１突起、前記第２突起、前記第３突起および前記第４突起が挿入される凹状に形成されている、請求項１に記載の画像読取装置。
【請求項３】
前記第１係合部は、前記第１突起が当接する第１当て面を有し、
前記第２係合部は、前記第２突起が当接する第２当て面を有し、
前記第３係合部は、前記第３突起が当接する第３当て面を有し、
前記第４係合部は、前記第４突起が当接する第４当て面を有する、請求項２に記載の画像読取装置。
【請求項４】
前記第１読取部を前記搬送路側に付勢する第１付勢部と、
前記第２読取部を前記搬送路側に付勢する第２付勢部と、を備え、
前記第1当て面は、前記第１係合部の前記搬送路側に形成され、
前記第２当て面は、前記第２係合部の前記搬送路側に形成され、
前記第３当て面は、前記第３係合部の前記搬送路側に形成され、
前記第４当て面は、前記第４係合部の前記搬送路側に形成される、請求項３に記載の画像読取装置。
【請求項５】
前記第１読取部および前記第２読取部は、同じ構成の密着型イメージセンサユニットである、請求項４に記載の画像読取装置。
【請求項６】
前記第２読取部は、前記第１読取部よりも上側に位置し、
前記第１係合部および前記第３係合部は、前記幅方向に凹み、凹みを囲う環状をなし、
前記第２係合部および前記第４係合部は、前記幅方向に凹み、上方に開放された溝形状をなしている、請求項３ないし５のいずれか一項に記載の画像読取装置。
【請求項７】
前記第２係合部および前記第４係合部は、上側ほど前記シートの搬送方向における下流側に位置するように傾斜している、請求項６に記載の画像読取装置。
【請求項８】
前記第１読取部には、前記幅方向における一方側および他方側の端部に、それぞれ前記幅方向に凹む第１凹部および第３凹部が形成され、
前記第２読取部には、前記幅方向における一方側および他方側の端部に、それぞれ前記幅方向に凹む第２凹部および第４凹部が形成され、
前記第１係合部、前記第２係合部、前記第３係合部、前記第４係合部は、それぞれ前記第１凹部、前記第２凹部、前記第３凹部および前記第４凹部に挿入される突起である、請求項１に記載の画像読取装置。
【請求項９】
前記搬送路を搬送されるシートの搬送をガイドするシュートを有し、
前記シュートは、前記第１フレームと前記第２フレームに支持されている、請求項１ないし８のいずれか一項に記載の画像読取装置。
【請求項１０】
前記第１読取部を収容する第１収容部と、
前記第２読取部を収容する第２収容部とを備え、
前記第１フレームは、前記第１収容部の前記幅方向における一方側の端部と係合する第５係合部および前記第２収容部の前記幅方向における一方側の端部と係合する第６係合部を一体的に備え、
前記第２フレームは、前記第１収容部の前記幅方向における他方側の端部と係合する第７係合部および前記第２収容部の前記幅方向における他方側の端部と係合する第８係合部を一体的に備える、請求項９に記載の画像読取装置。
【請求項１１】
前記第１収容部には、前記シュートが形成されている、請求項１０に記載の画像読取装置。
【請求項１２】
幅方向に延び、前記幅方向の一端部および他端部にそれぞれ前記幅方向に突出する第１突起および第３突起を有し、搬送路を搬送されるシートの第１面を読み取るように構成された第１読取部と、前記幅方向に延び、前記搬送路を挟んで前記第１読取部の反対側に位置し、前記幅方向の一端部および他端部にそれぞれ前記幅方向に突出する第２突起および第４突起を有し、前記シートの第２面を読み取るように構成された第２読取部と、前記幅方向に凹み、凹みを囲う環状の第１係合部、および、前記幅方向に凹み、上方に開放された溝形状の第２係合部を一体的に備える第１フレームと、前記幅方向に凹み、凹みを囲う環状の第３係合部、および、前記幅方向に凹み、上方に開放された溝形状の第４係合部を一体的に備える第２フレームとを備える画像読取装置を製造する方法であって、
前記第１読取部の前記幅方向における一方側の端部と第１フレームとを前記幅方向に相対的に接近させて、前記第１突起を前記第１係合部に挿入する第１工程と、
前記第１読取部の前記幅方向における他方側の端部と第２フレームとを前記幅方向に相対的に接近させて、前記第３突起を前記第３係合部に挿入する第２工程と、
前記第１工程および前記第２工程後、前記第２読取部を前記第１読取部の上方から前記第１フレームと前記第２フレームとの間に向けて移動させて、前記第２突起および前記第４突起をそれぞれ前記第２係合部および前記第４係合部に挿入する第３工程とを含む、画像読取装置の製造方法。
【発明の詳細な説明】
【技術分野】
【０００１】
本発明は、画像読取装置および画像読取装置の製造方法に関する。
【背景技術】
【０００２】
特許文献１に開示されている構成では、第１読取部および第２読取部が設けられている。また、第１および第２のブロック部材が搬送路を挟んで上下に設けられている。第１読取部は、第１読取面を搬送路に向けて、第１のブロック部材に保持されている。第２読取部は、第２読取面を搬送路に向けて、第２のブロック部材に保持されている。搬送路を搬送されるシートの上面が第１読取面上を通過するときに、シートの上面の画像が第１読取部に読み取られる。また、搬送路を搬送されるシートの下面が第２読取面上を通過するときに、シートの下面の画像が第２読取部に読み取られる。
【先行技術文献】
【特許文献】
【０００３】
【特許文献１】特開２００９−３０３０８５号公報
【発明の概要】
【発明が解決しようとする課題】
【０００４】
この構成では、第１読取面と第２読取面との相対位置は、第１読取部と第１のブロック部材との相対位置、第２読取部と第２のブロック部材との相対位置および第１のブロック部材と第２のブロック部材との相対位置によって決まる。そのため、第１読取面と第２読取面との相対位置は、第１および第２のブロック部材の各部品公差の影響を受ける。第１読取面と第２読取面との間が搬送路となるので、第１読取面と第２読取面との相対位置にばらつきがあると、第１読取部および第２読取部による画像の読取精度にばらつきが生じる。
【０００５】
本発明の目的は、第１読取部および第２読取部による画像の読取精度を向上させることができる、画像読取装置および画像読取装置の製造方法を提供することである。
【課題を解決するための手段】
【０００６】
前記の目的を達成するため、本発明の一の局面に係る画像読取装置は、搬送路を搬送されるシートの第１面を読み取るように構成され、搬送されるシートの幅方向に延びる第１読取部と、前記幅方向に延び、搬送路を挟んで前記第１読取部に対向する位置に位置し、前記シートの第２面を読み取るように構成された第２読取部と、前記第１読取部の前記幅方向における一方側の端部と係合する第１係合部および前記第２読取部の前記幅方向における一方側の端部と係合する第２係合部を備える第１フレームと、前記第１読取部の前記幅方向における他方側の端部と係合する第３係合部および前記第２読取部の前記幅方向における他方側の端部と係合する第４係合部を備える第２フレームと、を備える。
【０００７】
この構成によれば、第１フレームにより、第１読取部および第２読取部の幅方向における一方側の各端部の相対位置を一定にすることができる。また、第２フレームにより、第１読取部および第２読取部の幅方向における他方側の各端部の相対位置を一定にすることができる。そのため、第１読取部と第２読取部との相対位置を一定にすることができる。その結果、第１読取部および第２読取部による画像の読取精度を向上させることができる。
【０００８】
本発明の他の局面に係る画像読取装置の製造方法は、幅方向に延び、幅方向の一端部および他端部にそれぞれ幅方向に突出する第１突起および第３突起を有し、搬送路を搬送されるシートの第１面を読み取るように構成された第１読取部と、幅方向に延び、搬送路を挟んで第１読取部の反対側に位置し、幅方向の一端部および他端部にそれぞれ幅方向に突出する第２突起および第４突起を有し、シートの第２面を読み取るように構成された第２読取部と、幅方向に凹み、凹みを囲う環状の第１係合部、および、幅方向に凹み、上方に開放された溝形状の第２係合部を一体的に備える第１フレームと、幅方向に凹み、凹みを囲う環状の第３係合部、および、幅方向に凹み、上方に開放された溝形状の第４係合部を一体的に備える第２フレームとを備える画像読取装置を製造する方法であって、第１読取部の幅方向における一方側の端部と第１フレームとを幅方向に相対的に接近させて、第１突起を第１係合部に挿入する第１工程と、第１読取部の幅方向における他方側の端部と第２フレームとを幅方向に相対的に接近させて、第３突起を第３係合部に挿入する第２工程と、第１工程および第２工程後、第２読取部を第１読取部の上方から第１フレームと第２フレームとの間に向けて移動させて、第２突起および第４突起をそれぞれ第２係合部および第４係合部に挿入する第３工程とを含む。
【０００９】
この方法によれば、第１読取部と第２読取部との相対位置を一定にすることができる。その結果、第１読取部および第２読取部による画像の読取精度を向上させることができる。
【発明の効果】
【００１０】
本発明によれば、第１読取部および第２読取部による画像の読取精度を向上させることができる。
【図面の簡単な説明】
【００１１】
【図１】本発明の一実施形態に係る画像読取装置１の左上前側からの斜視図である。
【図２】画像読取装置１の平面図である。
【図３】画像読取装置１の前面図である。
【図４】画像読取装置１を前後方向に沿った切断面で切断したときの断面図である。
【図５】第１読取部９３および第２読取部９４の断面図である。
【図６】画像読取装置１を左右方向に沿った切断面で切断したときの断面図である。
【図７】第１ホルダ６１、第２ホルダ６２、第１フレーム１５１および第２フレーム１５２の前面図である。
【図８】第１フレーム１５１の右側面図である。
【図９】第２フレーム１５２の左側面図である。
【図１０】画像読取装置１の左端部を前後方向に沿った切断面で切断したときの断面図である。
【図１１】第１ホルダ６１、第２ホルダ６２、第１フレーム１５１および第２フレーム１５２の断面図である。
【図１２】第１の変形例に係る説明図であり、第２読取部９４の左側面を示す。
【図１３】第１の変形例に係る説明図であり、第２読取部９４の右側面を示す。
【図１４】第２の変形例に係る説明図であり、第１読取部９３の左側面を示す。
【図１５】第２の変形例に係る説明図であり、第１読取部９３の右側面を示す。
【発明を実施するための形態】
【００１２】
以下では、本発明の実施の形態について、添付図面を参照しつつ詳細に説明する。
【００１３】
＜筐体＞
【００１４】
画像読取装置１は、図１、図２、図３および図４に示されるように、筐体２を備えている。筐体２は、図１、図３および図４に示されるように、ボトムカバー３およびトップカバー４に分割されている。
【００１５】
なお、以下の説明では、ボトムカバー３に対するトップカバー４側を上側とし、平面視における画像読取装置１の中央に対して後述する導入口４１が形成されている側を前側として、上下、左右および前後の各方向を規定する。そして、図１以降の各図では、矢印で方向を表示する。
【００１６】
トップカバー４は、図１、図３および図４に示されるように、ボトムカバー３に上側から重なる。トップカバー４は、図２に示されるように、左面部１１、右面部１２、上面部１３、後面部１４、前面部１５および湾曲部１６を備えている。
【００１７】
左面部１１は、上下方向および前後方向に延びている。左面部１１の前上端部は、図１、図２および図３に示されるように、切り欠かれている。これにより、左面部１１は、その前上端部に、第１端縁２１および第２端縁２２を有している。第１端縁２１は、上下方向に延びている。第２端縁２２は、第１端縁２１の下端から前側に延びている。言い換えれば、左面部１１は、その前上端部に、上下方向に延びる第１端縁２１と第１端縁２１の下端から前側に延びる第２端縁２２とによって形成される切欠２３を有している。
【００１８】
右面部１２は、左面部１１に対して左右方向に間隔を空けて配置されている。右面部１２は、左面部１１と平行をなして、上下方向および前後方向に延びている。
【００１９】
上面部１３は、左面部１１の上端と右面部１２の上端との間に架設されている。上面部１３は、左右方向および前後方向に延びている。上面部１３は、第３端縁２４を前端に有している。第３端縁２４は、左面部１１の第１端縁２１の上端から右側に延びている。第３端縁２４の長さは、左面部１１と右面部１２との間の左右方向の間隔よりも短い。
【００２０】
後面部１４は、図２に示されるように、左面部１１の後端と右面部１２の後端との間に架設されている。後面部１４は、上下方向および左右方向に延びている。後面部１４の上端は、図４に示されるように、上面部１３の後端に接続されている。
【００２１】
前面部１５は、図１および図３に示されるように、左面部１１の前端と右面部１２の前端との間に架設されている。前面部１５は、第４端縁２５を上端に有している。第４端縁２５は、左面部１１の第２端縁２２の前端から右側に延びている。第４端縁２５の長さは、上面部１３の第３端縁２４の長さと同じである。
【００２２】
湾曲部１６は、図１、図２および図３に示されるように、上面部１３の右前端部と前面部１５の右上端部との間に架設されている。湾曲部１６の右端は、右面部１２の前上端部に接続されている。湾曲部１６は、第５端縁２６を左端に有している。第５端縁２６は、第３端縁２４の右端から前側に延び、途中で湾曲して、下側に延び、第４端縁２５の右端に接続されている。
【００２３】
また、トップカバー４は、フロントフレーム３１を保持している。
【００２４】
フロントフレーム３１は、第１壁部３２、第２壁部３３、第３壁部３４および第４壁部３６を有している。
【００２５】
第１壁部３２は、図１および図３に示されるように、上下方向および左右方向に延びている。第１壁部３２の左端は、左面部１１の第１端縁２１に接続されている。第１壁部３２の上端は、上面部１３の第３端縁２４に接続されている。
【００２６】
第２壁部３３は、図１および図２に示されるように、左右方向および前後方向に延びている。第２壁部３３の左端は、左面部１１の第２端縁２２に接続されている。第２壁部３３の前端は、前面部１５の第４端縁２５に接続されている。
【００２７】
第３壁部３４は、図１および図４に示されるように、上下方向および前後方向に延びている。第３壁部３４は、第５端縁２６に接続されている。第３壁部３４の後端は、第１壁部３２に接続されている。第３壁部３４の下端は、第２壁部３３に接続されている。
【００２８】
第１壁部３２の下端部は、図１および図３に示されるように、左端部を一部残して、それ以外の部分が開口されている。これにより、Ｌ字形状の第１壁部３２と第２壁部３３と第３壁部３４とに囲まれた箇所に導入口４１が形成される。
【００２９】
第４壁部３６は、図４に示されるように、第１壁部３２の下端部における開口が形成されている部分から後下側に延びている。第４壁部３６の後下端は、第２壁部３３の後端の上側に間隔を空けて位置している。また、第３壁部３４の後下端部は、第４壁部３６の右端と第２壁部３３の右端との間に延び、その上端縁および下端縁がそれぞれ第４壁部３６および第２壁部３３に接続されている。
【００３０】
また、筐体２は、図４に示されるように、ボトムカバー３とトップカバー４の後面部１４との間に、排出口４２を有している。排出口４２は、導入口４１と上下方向および左右方向においてほぼ同じ位置に形成されている。
【００３１】
＜内部機構＞
【００３２】
画像読取装置１は、第１ホルダ６１および第２ホルダ６２を備えている。
【００３３】
第１ホルダ６１は、第１収容部の一例であり、第１下保持部７１、第２下保持部７２および第３下保持部７３を備えている。第１下保持部７１、第２下保持部７２および第３下保持部７３は、前側からこの順に、前後方向に並んでいる。
【００３４】
第１下保持部７１は、シュートの一例としての前シュート７４を備えている。前シュート７４は、左右方向および前後方向に延びている。前シュート７４の上面７５は、第２壁部３３の上面３５と同一平面上に位置している。
【００３５】
第２下保持部７２は、前壁部７６、底壁部７７および後壁部７８を備えている。前壁部７６は、前シュート７４の後端から下側に延びている。底壁部７７は、前壁部７６の下端から後側に延びている。後壁部７８は、底壁部７７の後端から上側に延びている。
【００３６】
第３下保持部７３は、シュートの一例としての後シュート７９を備えている。後シュート７９は、第２下保持部７２の後壁部７８の上端から後側に延びている。後シュート７９の上面８０の後端部は、排出口４２の下端よりも上側に位置している。
【００３７】
第２ホルダ６２は、第２収容部の一例であり、第２壁部３３の上面３５を含む平面に対して上側に配置されている。第２ホルダ６２は、第１上保持部８１、第２上保持部８２および第３上保持部８３を備えている。第１上保持部８１、第２上保持部８２および第３上保持部８３は、前側からこの順に、前後方向に並んでいる。
【００３８】
第２上保持部８２は、前壁部８４、上壁部８５および後壁部８６を備えている。前壁部８４は、前後方向において、第１ホルダ６１の前壁部７６と同じ位置に配置されている。前壁部８４は、上下方向および左右方向に延びている。上壁部８５は、前壁部８４の上端から後側に延びている。後壁部８６は、上壁部８５の後端から下側に延び、前壁部８４と平行をなしている。後壁部８６は、前後方向において、第１ホルダ６１の後壁部７８よりも後側に配置されている。
【００３９】
そして、画像読取装置１は、搬送ローラ対９１、シート押さえ９２、第１読取部９３、第２読取部９４および排出ローラ対９５を備えている。
【００４０】
搬送ローラ対９１は、４個の搬送駆動ローラ９６および４個の搬送従動ローラ９７を含む。
【００４１】
４個の搬送駆動ローラ９６は、駆動軸１０１に取り付けられている。駆動軸１０１は、左右方向に延びている。駆動軸１０１は、第１ホルダ６１の第１下保持部７１に回転可能に保持されている。各搬送駆動ローラ９６の周面の一部は、前シュート７４の上面７５から上側に突出している。
【００４２】
４個の搬送従動ローラ９７は、従動軸１２１に取り付けられている。従動軸１２１は、左右方向に延びている。従動軸１２１は、第２ホルダ６２の第１上保持部８１に回転可能に保持されている。各搬送従動ローラ９７は、搬送駆動ローラ９６の上側に配置されている。各搬送従動ローラ９７の周面の一部は、その下側の搬送駆動ローラ９６の周面に当接している。
【００４３】
シート押さえ９２は、第２ホルダ６２の前壁部８４の後側に配置されている。シート押さえ９２は、上下方向および左右方向に延びている。シート押さえ９２は、第２読取部９４と別体に設けられている。シート押さえ９２の下端部は、第１読取部９３の透明板１０５の前端部上に位置している。シート押さえ９２は、前側ほど上側に位置するように傾斜した傾斜面１２３を下端に有している。また、シート押さえ９２は、圧縮コイルばね１２４により、下側に向けて押圧されている。圧縮コイルばね１２４の一端部は、第２ホルダ６２の上壁部８５に接続されている。圧縮コイルばね１２４の他端部は、シート押さえ９２の上端に接続されている。
【００４４】
第１読取部９３は、第１ホルダ６１の第２下保持部７２に配置されている。具体的には、第１読取部９３は、第１ホルダ６１の底壁部７７上に配置され、前壁部７６および後壁部７８に前後から挟まれている。第１読取部９３は、第１付勢部１０３により、搬送路１４１側となる第２読取部９４側に付勢されている。第１付勢部１０３は、圧縮コイルばねからなる。第１付勢部１０３は、ボトムカバー３と第１読取部９３との間に介在されている。第１読取部９３は、ＬＥＤ光源、レンズおよびイメージセンサ１０４などを備える密着型イメージセンサユニットである。また、第１読取部９３は、その上面に、透明板１０５を備えている。透明板１０５の上面である第１読取面１０６は、前シュート７４の上面７５と同じ位置または上面７５よりも下側に位置している。さらに、第１読取部９３は、透明板１０５の前側に、延部１０７を備えている。延部１０７は、前側ほど下側に位置するように傾斜する傾斜面１０８を上面に有している。
【００４５】
また、第１読取部９３による画像の読取位置ＳＰ１は、図５に示されるように、第１読取部９３において、後側に片寄っている。具体的に、読取位置ＳＰ１は、第１読取部９３の前後方向の中央Ｃ１よりも後側に位置している。
【００４６】
第２読取部９４は、シート押さえ９２の後側に配置されている。第２読取部９４は、後述する搬送路１４１を挟んで第１読取部９３の上側に位置している。第２読取部９４は、第１読取部９３と同じ構成の密着型イメージセンサユニットであり、第１読取部９３と前後方向に沿った直線まわりに天地を反転して配置されている。具体的には、第２読取部９４は、ＬＥＤ光源、レンズおよびイメージセンサ１２５などを内部に備える密着型イメージセンサユニットである。また、第２読取部９４は、その下面に、透明板１２６を備えている。
【００４７】
第２読取部９４は、透明板１２６の下面である第２読取面１２７が前側ほど上側に位置するように、その全体が傾斜している。さらに、第２読取部９４は、透明板１２６の前側に、延部１２８を備えている。延部１２８は、前側ほど上側に位置するように傾斜する傾斜面１２９を下面に有している。また、第２読取部９４は、第２付勢部１３０により、搬送路１４１側となる第１読取部９３側に付勢されている。第２付勢部１３０は、圧縮コイルばねからなる。第２付勢部１３０は、第２ホルダ６２の上壁部８５と第２読取部９４との間に介在されている。
【００４８】
また、第２読取部９４による画像の読取位置ＳＰ２は、図５に示されるように、第２読取部９４において、後側に片寄っている。具体的に、読取位置ＳＰ２は、第２読取部９４の前後方向の中央Ｃ２よりも後側に位置し、第１読取部９３の前後方向の中央Ｃ１よりも前側に位置している。
【００４９】
排出ローラ対９５は、４個の排出駆動ローラ９８および４個の排出従動ローラ９９を含む。
【００５０】
４個の排出駆動ローラ９８は、駆動軸１０９に取り付けられている。駆動軸１０９は、左右方向に延びている。駆動軸１０９は、第１ホルダ６１の第３下保持部７３に回転可能に保持されている。各排出駆動ローラ９８の周面の一部は、後シュート７９の上面８０から上側に突出している。
【００５１】
４個の排出従動ローラ９９は、従動軸１３１に取り付けられている。従動軸１３１は、左右方向に延びている。従動軸１３１は、第２ホルダ６２の第３上保持部８３に回転可能に保持されている。各排出従動ローラ９９は、排出駆動ローラ９８の上側に配置されている。各排出従動ローラ９９の周面の一部は、その下側の排出駆動ローラ９８の周面に当接している。
【００５２】
また、画像読取装置１は、センサ５１を備えている。
【００５３】
センサ５１は、たとえば、マイクロスイッチからなる。センサ５１の本体は、第２壁部３３の下方に配置されている。センサ５１のアクチュエータ５２は、第２壁部３３を上下方向に貫通し、その先端が第２壁部３３の上側に位置している。アクチュエータ５２は、図３に示されるように、左右方向において、最も右側に位置している搬送従動ローラ９７と第３壁部３４との間に位置している。
【００５４】
＜シートの画像の読み取り＞
【００５５】
筐体２内において、第１ホルダ６１と第２ホルダ６２との間は、シートＳが搬送される搬送路１４１である。
【００５６】
また、導入口４１に挿入されるシートＳが載置される第２壁部３３が左面部１１まで延びているので、フロントフレーム３１の第３壁部３４は、左側に露出している。これにより、ユーザは、第３壁部３４がシートＳの左右方向位置を決める際の基準であることを容易に認識する。
【００５７】
シートＳの画像の読み取りに際しては、ユーザにより、１枚のシートＳが第２壁部３３の上面３５上から導入口４１に差し込まれる。このとき、シートＳの右端縁が第３壁部３４に押し当てられる。
【００５８】
シートＳが導入口４１に差し込まれると、センサ５１により、シートＳが検知される。センサ５１によるシートＳの検知に応答して、搬送駆動ローラ９６および排出駆動ローラ９８が左側から見て反時計回りに回転される。搬送駆動ローラ９６および排出駆動ローラ９８の回転に従動して、搬送従動ローラ９７および排出従動ローラ９９が左側から見て時計回りに回転する。
【００５９】
シートＳが後側にさらに移動されて、シートＳの先端部が搬送駆動ローラ９６の周面と搬送従動ローラ９７の周面との間に到達すると、搬送駆動ローラ９６および搬送従動ローラ９７からシートＳに搬送力が付与される。この搬送力により、シートＳは、後側に搬送されて、搬送駆動ローラ９６および搬送従動ローラ９７の間を通過する。
【００６０】
その後、シートＳの先端縁がシート押さえ９２の傾斜面１２３に当接する。シートＳの搬送に伴って、シートＳの先端縁が傾斜面１２３上を第１読取部９３の透明板１０５上に向けて摺動する。そして、シートＳの先端縁は、傾斜面１２３から離れると、シート押さえ９２と透明板１０５の上面である第１読取面１０６との間に進入する。シート押さえ９２と透明板１０５との間において、シートＳは、シート押さえ９２により、第１読取面１０６に押圧される。
【００６１】
こうして、シートＳは、第１読取面１０６に押圧されつつ、第１読取面１０６上を通過する。このとき、第１読取面１０６上のシートＳに、第１読取部９３のＬＥＤ光源から光が照射される。そして、シートＳでの反射光がイメージセンサ１０４に受けられることにより、シートＳの第１面の一例である、下面に描かれている画像が読み取られる。
【００６２】
シートＳの搬送がさらに進むと、シートＳの先端縁が第２読取部９４の透明板１２６の下面である第２読取面１２７に当接する。第２読取面１２７に当接したシートＳの先端縁は、第２読取面１２７上を摺動する。このとき、シートＳの厚みによっては、シートＳから第２読取面１２７に力が付与され、第２読取部９４が第２付勢部１３０の付勢力に抗して、上側に移動する。
【００６３】
その後、シートＳは、その上面が第２読取面１２７に密着しつつ、第２読取面１２７上を後側に移動する。このとき、第２読取面１２７上のシートＳに、第２読取部９４のＬＥＤ光源から光が照射される。そして、シートＳでの反射光がイメージセンサ１２５に受けられることにより、シートＳの第２面の一例である、上面に描かれている画像が読み取られる。
【００６４】
そして、シートＳの先端部が排出駆動ローラ９８の周面と排出従動ローラ９９の周面との間に到達すると、排出駆動ローラ９８および排出従動ローラ９９からシートＳに搬送力が付与される。この搬送力により、シートＳは、後側に搬送されて、排出口４２を通して排出される。
【００６５】
＜係合構造＞
【００６６】
画像読取装置１は、図６および図７に示されるように、第１フレーム１５１および第２フレーム１５２を備えている。第１ホルダ６１および第２ホルダ６２は、第１フレーム１５１および第２フレーム１５２により、第１フレーム１５１と第２フレーム１５２との間で挟持されている。第１フレーム１５１は、第１ホルダ６１および第２ホルダ６２の左側に配置されている。第１フレーム１５１は、図８に示されるように、第１溝１６１、第２溝１６２および第３溝１６３を備えている。
【００６７】
第１溝１６１は、第１フレーム１５１の右面１６４における前後方向の略中央かつ上下方向の中央よりも下側の位置に形成されている。第１溝１６１は、右面１６４から突出し、上下方向に延びている。第１溝１６１には、第１係合部１６５が形成されている。具体的には、第１溝１６１の上部には、凹部１７３が形成され、この凹部１７３およびこれを取り囲む環状部１７４により、第１係合部１６５が形成されている。凹部１７３は、前後方向および上下方向にほぼ同じ寸法を有している。また、第１係合部１６５は、凹部１７３の上端に、前後方向に延びる第１当て面１６６を有している。
【００６８】
さらに、第１溝１６１には、凹部１７３の下側に間隔を空けて、凹部１６７が形成されている。凹部１６７の前後方向の寸法は、凹部１７３の前後方向の寸法と同じである。また、凹部１６７の上下方向の寸法は、凹部１７３の前後方向の寸法よりも大きい。
【００６９】
第２溝１６２は、第１フレーム１５１の右面１６４における前後方向の中央よりも後側かつ上下方向の中央よりも上側の位置に形成されている。第２溝１６２は、右面１６４から突出し、上側ほど後側に位置するように、上下方向に対して傾斜して延びている。第２溝１６２には、第２係合部１６８が形成されている。第２係合部１６８は、第２溝１６２の右面から左側に凹み、上方に開放された溝形状をなしている。また、第２溝１６２は、第２係合部１６８の下端に、前側ほど上側に位置するように、前後方向に対して傾斜して延びる第２当て面１６９を有している。
【００７０】
第３溝１６３は、第１フレーム１５１の右面１６４において、前後方向の中央よりも前側かつ第２溝１６２と上下方向にほぼ同じ位置に形成されている。第３溝１６３は、右面１６４から突出し、上下方向に延び、上方に開放されたＵ字形状をなしている。
【００７１】
また、第１フレーム１５１は、２つの第５係合部１７１Ａ，１７１Ｂおよび第６係合部１７２を備えている。
【００７２】
第５係合部１７１Ａは、第１フレーム１５１の後下端部に、第１フレーム１５１を左右方向に貫通する孔として形成されている。第５係合部１７１Ｂは、第１フレーム１５１の前下端部であって、上下方向において第５係合部１７１Ａと同じ位置に配置され、第１フレーム１５１を左右方向に貫通する孔として形成されている。
【００７３】
第６係合部１７２は、第１フレーム１５１の上端部に、上下方向に延びる軸として形成されている。
【００７４】
第２フレーム１５２は、第１ホルダ６１および第２ホルダ６２の右側に配置されている。第２フレーム１５２は、図９に示されるように、第４溝１８１、第５溝１８２および第６溝１８３を備えている。
【００７５】
第４溝１８１は、第１フレーム１５１の第１突出部１６１と上下方向および前後方向において同じ位置に形成されている。第４溝１８１は、第２フレーム１５２の左面１８４から突出し、上下方向に延びている。第４溝１８１の上部には、第３係合部１８５が形成されている。具体的には、第４溝１８１の上部には、凹部１７５が形成され、この凹部１７５およびこれを取り囲む環状部１７６により、第３係合部１８５が形成されている。凹部１７５は、前後方向および上下方向にほぼ同じ寸法を有している。また、第３係合部１８５は、凹部１７５の上端であって、第１係合部１６５の第１当て面１６６と上下方向に同じ位置に、前後方向に延びる第３当て面１８６を有している。
【００７６】
さらに、第４溝１８１には、凹部１７５の下側に間隔を空けて、凹部１８７が形成されている。凹部１８７の前後方向の寸法は、凹部１７５の前後方向の寸法と同じである。また、凹部１８７の上下方向の寸法は、凹部１７５の前後方向の寸法よりも大きい。
【００７７】
第５溝１８２は、第１フレーム１５１の第２溝１６２と上下方向および前後方向において同じ位置に形成されている。第５溝１８２は、左面１８４から突出し、上下方向に対して第２溝１６２と同じ傾斜角度で傾斜して延びている。第５溝１８２には、第４係合部１８８が形成されている。第４係合部１８８は、第２溝１６２の左面から右側に凹み、上方に開放された溝形状をなしている。また、第５溝１８２は、第４係合部１８８の下端であって、第１フレーム１５１の第２当て面１６９と上下方向に同じ位置に、前後方向に対して第２当て面１６９と同じ傾斜角度で傾斜して延びる第４当て面１８９を有している。
【００７８】
第６溝１８３は、第１フレーム１５１の第３溝１６３と上下方向および前後方向において同じ位置に形成されている。第６溝１８３は、左面１８４から突出し、上下方向に延び、上方に開放されたＵ字形状をなしている。
【００７９】
また、第２フレーム１５２は、第７係合部１９１Ａ，１９１Ｂおよび第８係合部１９２を備えている。
【００８０】
第７係合部１９１Ａは、第２フレーム１５２の後下端部に、第２フレーム１５２を左右方向に貫通する孔として形成されている。第７係合部１９１Ｂは、第２フレーム１５２の前下端部であって、上下方向において第７係合部１９１Ａと同じ位置に配置され、第２フレーム１５２を左右方向に貫通する孔として形成されている。
【００８１】
第８係合部１９２は、第２フレーム１５２の上端部に、上下方向に延びる軸として形成されている。
【００８２】
一方、第１読取部９３は、図６に示されるように、左端部および右端部に、それぞれ左側に突出する第１突起２０１および右側に突出する第３突起２０２を備えている。
【００８３】
第１突起２０１は、第１読取部９３の左側面の上端部における前後方向のほぼ中央に形成されている。第１突起２０１は、第１フレーム１５１の第１係合部１６５の前後方向の寸法とほぼ同じ直径を有している。また、第１読取部９３の左側面には、第１突起２０１に対して下側に間隔を空けた位置に、突起２０３が左側に突出して設けられている。突起２０３は、第１突起２０１と同じ直径を有している。
【００８４】
第３突起２０２は、第１読取部９３の右側面において、第１突起２０１と前後方向および上下方向に同じ位置に形成されている。第３突起２０２は、第２フレーム１５２の第３係合部１８５の前後方向の寸法とほぼ同じ直径を有している。また、第１読取部９３の右側面には、第３突起２０２に対して下側に間隔を空けた位置に、突起２０４が右側に突出して設けられている。突起２０４は、第３突起２０２と同じ直径を有している。
【００８５】
第２読取部９４は、左端部および右端部に、それぞれ左側に突出する第２突起２１１および右側に突出する第４突起２１２を備えている。
【００８６】
第２突起２１１は、第２読取部９４の左側面の下端部における前後方向のほぼ中央に形成されている。第２突起２１１は、第１フレーム１５１の第２係合部１６８の前後方向の寸法とほぼ同じ直径を有している。また、第２読取部９４の左側面には、第２突起２１１に対して上側に間隔を空けた位置に、突起２１３が左側に突出して設けられている。第２突起２１１と突起２１３とは、第２読取面１２７に対して直交する方向に並んでいる。突起２１３は、第２突起２１１と同じ直径を有している。
【００８７】
第４突起２１２は、第２読取部９４の右側面において、第２突起２１１と前後方向および上下方向に同じ位置に形成されている。第４突起２１２は、第２フレーム１５２の第４係合部１８８の前後方向の寸法とほぼ同じ直径を有している。また、第２読取部９４の右側面には、第４突起２１２に対して上側に間隔を空けた位置に、突起２１４が右側に突出して設けられている。第４突起２１２と突起２１４とは、第２読取面１２７に対して直交する方向に並んでいる。突起２１４は、第４突起２１２と同じ直径を有している。
【００８８】
シート押さえ９２は、図８に仮想線で示されるように、突起２２１，２２２を左端部に備えている。突起２２１，２２２は、上下方向に間隔を空けて設けられ、左側に延びている。また、シート押さえ９２は、図９に仮想線で示されるように、突起２２３，２２４を右端部に備えている。突起２２３，２２４は、それぞれ突起２２１，２２２と上下方向および前後方向において同じ位置に設けられ、右側に延びている。
【００８９】
また、第１ホルダ６１は、図１１に示されるように、後左端部および後右端部に、それぞれ左側に突出する突起２３１および右側に突出する突起２３２を備えている。
【００９０】
第２ホルダ６２は、図７に示されるように、左上端部および右上端部の前後方向の中央部に、それぞれ左側に延出する延出部２４１および右側に延出する延出部２４２を備えている。延出部２４１，２４２には、それぞれ上下方向に貫通する貫通孔２４３，２４４が形成されている。
【００９１】
画像読取装置１の製造時には、まず、第１ホルダ６１に、図４に示される第１読取部９３、搬送駆動ローラ９６に挿通された駆動軸１０１および排出駆動ローラ９８に挿通された駆動軸１０９などが組み付けられる。また、第２ホルダ６２に、図４に示される搬送従動ローラ９７の従動軸１２１、第２付勢部１３０および排出従動ローラ９９の従動軸１３１などが組み付けられる。
【００９２】
次に、第１フレーム１５１が第１ホルダ６１の左側に配置される。そして、第１読取部９３の第１突起２０１および突起２０３がそれぞれ第１フレーム１５１の第１係合部１６５および凹部１６７と上下方向および前後方向の位置が一致し、第１ホルダ６１の突起２３１が第１フレーム１５１の第５係合部１７１Ａと上下方向および前後方向の位置が一致し、第１ホルダ６１の前左端部から左側に突出する非図示の突起が第１フレーム１５１の第５係合部１７１Ｂと上下方向および前後方向の位置が一致するように、第１ホルダ６１と第１フレーム１５１の位置関係が調整される。その後、第１ホルダ６１と第１フレーム１５１とが左右方向に相対的に近づけられる。これにより、第１読取部９３の第１突起２０１および突起２０３がそれぞれ第１フレーム１５１の第１係合部１６５および凹部１６７に挿入され、第１ホルダ６１の突起２３１が第１フレーム１５１の第５係合部１７１Ａに挿通され、第１ホルダ６１の非図示の突起が第１フレーム１５１の第５係合部１７１Ｂに挿通される。
【００９３】
次いで、第２フレーム１５２が第１ホルダ６１の右側に配置される。そして、第１読取部９３の第３突起２０２および突起２０４がそれぞれ第２フレーム１５２の第３係合部１８５および凹部１８７と上下方向および前後方向の位置が一致し、第１ホルダ６１の突起２３２が第２フレーム１５２の第７係合部１９１Ａと上下方向および前後方向の位置が一致し、第１ホルダ６１の前右端部から右側に突出する非図示の突起が第２フレーム１５２の第７係合部１９１Ｂと上下方向および前後方向の位置が一致するように、第１ホルダ６１と第２フレーム１５２の位置関係が調整される。その後、第１ホルダ６１と第２フレーム１５２とが左右方向に相対的に近づけられる。これにより、第１読取部９３の第３突起２０２および突起２０４がそれぞれ第２フレーム１５２の第３係合部１８５および凹部１８７に挿入され、第１ホルダ６１の突起２３２が第２フレーム１５２の第７係合部１９１Ａに挿通され、第１ホルダ６１の非図示の突起が第２フレーム１５２の第７係合部１９１Ｂに挿通される。
【００９４】
そして、第２読取部９４が第１ホルダ６１の上側に配置される。そして、第２読取部９４の第２突起２１１および突起２１３が第１フレーム１５１の第２係合部１６８に上側から差し込まれる。また、第２読取部９４の第４突起２１２および突起２１４が第２フレーム１５２の第４係合部１８３に上側から差し込まれる。その後、シート押さえ９２が第１ホルダ６１の上側に配置される。そして、シート押さえ９２の突起２２１，２２２が第１フレーム１５１の第３溝１６３に上側から差し込まれ、突起２２３，２２４が第２フレーム１５２の第６溝１８３に上側から差し込まれる。
【００９５】
その後、第２ホルダ６２が第１ホルダ６１の上側に配置される。そして、第２ホルダ６２が第１フレーム１５１と第２フレーム１５２との間に差し入れられる。このとき、第２ホルダ６２の貫通孔２４３，２４４にそれぞれ第１フレーム１５１の第６係合部１７２および第２フレーム１５２の第８係合部１９２が挿通される。
【００９６】
この状態で、図４に示される第１付勢部１０３の付勢力により、図１０に示されるように、第１読取部９３の第１突起２０１および第３突起２０２がそれぞれ第１フレーム１５１の第１当て面１６６および第２フレーム１５２の第３当て面１８６に下側から当接する。また、第２付勢部１３０の付勢力により、第２読取部９４の第２突起２１１および第４突起２１２がそれぞれ第１フレーム１５１の第２当て面１６９および第２フレーム１５２の第４当て面１８９に上側から当接する。
【００９７】
第２読取部９４が第１フレーム１５１および第２フレーム１５２に保持された状態で、第２読取部９４の第２突起２１１および突起２１３は、第１フレーム１５１の第２係合部１６８に挿入されている。また、第２読取部９４の第４突起２１２および突起２１４は、第２フレーム１５２の第４係合部１８８に挿入されている。第２係合部１６８および第４係合部１８８は、第２読取面１２７と直交する方向に延びている。そのため、第２読取部９４は、第１フレーム１５１および第２フレーム１５２に対して第２読取面１２７と直交する方向に移動する。
【００９８】
また、シート押さえ９２が第１フレーム１５１および第２フレーム１５２に保持された状態で、シート押さえ９２の突起２２１および突起２２２は、第１フレーム１５１の第３溝１６３に挿入されている。また、シート押さえ９２の突起２２３および突起２２４は、第２フレーム１５２の第６溝１８３に挿入されている。第３溝１６３および第６溝１８３は、上下方向に延びている。そのため、シート押さえ９２は、第１フレーム１５１および第２フレーム１５２に対して上下方向に移動する。
【００９９】
＜作用効果＞
【０１００】
以上のように、第１読取部９３の第１突起２０１および第２読取部９４の第２突起２１１をそれぞれ第１フレーム１５１の第１係合部１６５および第２係合部１６８に挿入することにより、第１読取部９３および第２読取部９４の各左端部を第１フレーム１５１に係合させることができる。これにより、第１読取部９３および第２読取部９４の左端部の相対位置を一定にすることができる。また、第１読取部９３の第３突起２０２および第２読取部９４の第４突起２１２をそれぞれ第２フレーム１５２の第３係合部１８５および第４係合部１８８に挿入することにより、第１読取部９３および第２読取部９４の各右端部を第２フレーム１５２と係合させることができる。これにより、第１読取部９３および第２読取部９４の右端部の相対位置を一定にすることができる。
【０１０１】
そのため、第１読取部９３と第２読取部９４との相対位置を一定にすることができる。その結果、第１読取部９３および第２読取部９４による画像の読取精度を向上させることができる。
【０１０２】
また、第１読取部９３が搬送路１４１側に付勢されることにより、第１読取部９３の第１突起２０１および第３突起２０２がそれぞれ第１フレーム１５１の第１当て面１６６および第２フレーム１５２の第３当て面１８６に当接する。また、第２読取部９４が搬送路１４１側に付勢されることにより、第２読取部９４の第２突起２１１および第４突起２１２がそれぞれ第１フレーム１５１の第２当て面１６９および第２フレーム１５２の第４当て面１８９に当接する。そのため、第１フレーム１５１の第１当て面１６６と第２当て面１６９との相対位置および第２フレーム１５２の第３当て面１８６と第４当て面１８９との相対位置により、第１読取部９３と第２読取部９４との相対位置が決まる。よって、第１読取部９３と第２読取部９４との相対位置を精度よく一定にすることができる。
【０１０３】
第１読取部９３および第２読取部９４は、同じ構成の密着型イメージセンサユニットである。これにより、第１読取部９３の寸法公差と第２読取部９４の寸法公差とを同じにすることができる。その結果、第１読取部９３および第２読取部９４の各寸法公差のばらつきによる第１読取部９３と第２読取部９４との相対位置のばらつきをなくすことができる。また、部品の共通化により、画像読取装置１のコストを下げることができる。
【０１０４】
第２係合部１６８および第４係合部１８８は、上側ほどシートの搬送方向における下流側に位置するように傾斜している。
【０１０５】
この構成によれば、第２読取部９４の上流側の端部が下流側の端部よりも上側に位置するように、第２読取部９４を傾斜した状態に設けることができる。これにより、搬送路１４１を搬送されるシートＳの先端を第２読取部９４の第２読取面１２７に当接させることができる。そのため、第２読取面１２７と第２読取部９４における第２読取面１２７よりも搬送方向の上流側に位置する部分との間に隙間が生じていても、シートの先端がその隙間に入ることを抑制できる。よって、シートを良好に搬送することができる。
【０１０６】
画像読取装置１は、搬送路１４１を搬送されるシートＳの搬送をガイドする前シュート７４および後シュート７９を有している。前シュート７４および後シュート７９は、第１ホルダ６１に形成されている。第１ホルダ６１は、第１フレーム１５１および第２フレーム１５２に支持されている。
【０１０７】
この構成によれば、第１読取部９３および第２読取部９４を支持している第１フレーム１５１および第２フレーム１５２によって第１ホルダ６１が支持される。第１読取部９３および第２読取部９４と同じ部材で第１ホルダ６１を支持することで、前シュート７４および後シュート７９と第１読取部９３および第２読取部９４との相対的な位置精度を向上することができる。これにより、第１読取部９３および第２読取部９４へのシートＳの搬送精度を上げることができ、その結果、シートＳの読取精度を向上させることができる。
【０１０８】
画像読取装置１は、第１読取部９３を収容する第１ホルダ６１と、第２読取部９４を収容する第２ホルダ６２とを備えている。第１フレーム１５１は、第１ホルダ６１の左端部と係合する第５係合部１７１Ａ，１７１Ｂおよび第２ホルダ６２の左端部と係合する第６係合部１７２を一体的に備えている。また、第２フレーム１５２は、第１ホルダ６１の右端部と係合する第７係合部１９１Ａ，１９１Ｂおよび第２ホルダ６２の右端部と係合する第８係合部１９２を一体的に備えている。
【０１０９】
この構成によれば、第１フレーム１５１により、第１ホルダ６１および第２ホルダ６２の各左端部の相対位置を一定にすることができる。また、第２フレーム１５２により、第１ホルダ６１および第２ホルダ６２の各右端部の相対位置を一定にすることができる。そのため、第１ホルダ６１と第２ホルダ６２との相対位置を一定にすることができる。
【０１１０】
＜変形例＞
【０１１１】
以上、本発明の一実施形態について説明したが、本発明は、他の形態で実施することもできる。
【０１１２】
第２読取部９４は、図１２および図１３に示される構成が採用されてもよい。
【０１１３】
この構成では、第２読取部９４は、図１２に示されるように、左端面に、左側に突出する溝３０１を備えている。溝３０１には、第２凹部の一例としての係合部３０２が形成されている。係合部３０２は、溝３０１の左面から右側に凹み、下方に開放された溝形状をなしている。また、第２読取部９４は、図１３に示されるように、右端面に、右側に突出する溝３０３を備えている。溝３０３には、第４凹部の一例としての係合部３０４が形成されている。溝３０３の右面から左側に凹み、下方に開放された溝形状をなしている。
【０１１４】
一方、図８に示される第１フレーム１５１は、右側に突出する突起３０５，３０６を備えている。また、図９に示される第２フレーム１５２は、左側に突出する突起３０７，３０８を備えている。
【０１１５】
第１フレーム１５１の突起３０５，３０６の先端部が係合部３０２に挿入され、第２フレーム１５２の突起３０７，３０８が係合部３０４に挿入されることにより、第２読取部９４が第１フレーム１５１および第２フレーム１５２と係合する。
【０１１６】
また、図１４および図１５に示される構成が採用されてもよい。
【０１１７】
この構成では、第１読取部９３は、図１４に示されるように、左端面に、左側に突出する溝３１１を備えている。溝３１１には、第１凹部の一例としての係合部３１２が形成されている。具体的には、溝３１１の上部には、凹部３２１が形成され、この凹部３２１およびこれを取り囲む環状部３２２により、係合部３１２が形成されている。さらに、溝３１１には、凹部３２１の下側に間隔を空けて、凹部３１３が形成されている。
【０１１８】
また、第１読取部９３は、図１５に示されるように、右端面に、右側に突出する溝３１４を備えている。溝３１４には、第３凹部の一例としての係合部３１５が形成されている。具体的には、溝３１４の上部には、凹部３２３が形成され、この凹部３２３およびこれを取り囲む環状部３２４により、係合部３１５が形成されている。さらに、溝３１１には、凹部３２３の下側に間隔を空けて、凹部３１６が形成されている。
【０１１９】
一方、図８に示される第１フレーム１５１は、右側に突出する突起３１７，３１８を備えている。また、図９に示される第２フレーム１５２は、左側に突出する突起３１９，３２０を備えている。
【０１２０】
第１フレーム１５１の突起３１７，３１８の先端部がそれぞれ係合部３１２および凹部３１３に挿入される。さらに、第２フレーム１５２の突起３１９，３２０がそれぞれ係合部３１５および凹部３１６に挿入される。これにより、第１読取部９３が第１フレーム１５１および第２フレーム１５２と係合する。
【０１２１】
その他、前述の構成には、特許請求の範囲に記載された事項の範囲で種々の設計変更を施すことが可能である。
【符号の説明】
【０１２２】
１        画像読取装置
６１      第１ホルダ
６２      第２ホルダ
７４      前シュート
７９      後シュート
９３      第１読取部
９４      第２読取部
１０３    第１付勢部
１３０    第２付勢部
１５１    第１フレーム
１５２    第２フレーム
１６５    第１係合部
１６８    第２係合部
１６６    第１当て面
１６９    第２当て面
１７１Ａ  第５係合部
１７１Ｂ  第５係合部
１７２    第６係合部
１８５    第３係合部
１８６    第３当て面
１８８    第４係合部
１８９    第４当て面
１９１Ａ  第７係合部
１９１Ｂ  第７係合部
１９２    第８係合部
２０１    第１突起
２０２    第３突起
２１１    第２突起
２１２    第４突起
３０２    係合部
３０４    係合部
３１２    係合部
３１５    係合部
Ｓ        シート
【図１】
2014195207.tif 000003
【図２】
2014195207.tif 000004
【図３】
2014195207.tif 000005
【図４】
2014195207.tif 000006
【図５】
2014195207.tif 000007
【図６】
2014195207.tif 000008
【図７】
2014195207.tif 000009
【図８】
2014195207.tif 000010
【図９】
2014195207.tif 000011
【図１０】
2014195207.tif 000012
【図１１】
2014195207.tif 000013
【図１２】
2014195207.tif 000014
【図１３】
2014195207.tif 000015
【図１４】
2014195207.tif 000016
【図１５】
2014195207.tif 000017